(57)【要約】【課題】  特に大型のパネルを簡単かつ効率的に組み付けることができるようにする。【解決手段】  本発明は、パネル内面に多数のセパレータ３が突設された第一パネル１と、各セパレータ３に対応するセパレータ取付穴４が設けられており、第一パネル１に対してパネル内面同士が対峙した状態かつ該パネル内面同士の間にセパレータ３により所定間隔Ｌ１をおいた状態で立てられる第二パネル２と、セパレータ取付穴４に挿入され、軸方向一端側がセパレータ３に連結される締結軸４０と、該締結軸４０が第二パネル２のパネル内面側に抜けないように該締結軸４０をパネル外面側に係止する係止具４１とを備え、締結軸４０はその軸長を延長するための軸延長部４４を備えた型枠を構築する方法である。本方法は、所定間隔Ｌ１より広い間隔をおいて第一パネル１及び第二パネル２を立て、締結軸４０をセパレータ取付穴４に挿入し、該締結軸４０の一端側をセパレータ３に連結してから、第一パネル１に第二パネル２を近づけるようにしている。【選択図】      図９
2007303103.tif 000002
【特許請求の範囲】
【請求項１】
パネル内面に多数のセパレータが突設された第一パネルと、
前記各セパレータに対応するセパレータ取付穴が設けられており、前記第一パネルに対してパネル内面同士が対峙した状態かつ該パネル内面同士の間に前記セパレータにより所定間隔をおいた状態で立てられる第二パネルと、
前記セパレータ取付穴に挿入され、軸方向一端側が前記セパレータに連結される締結軸と、
該締結軸が前記第二パネルのパネル内面側に抜けないように該締結軸をパネル外面側に係止する係止具とを備え、
前記締結軸は、前記軸方向一端側から前記係止具により係止される被係止部位までを少なくとも含む軸本体と、該軸本体における前記軸方向他端側に設けられ、該締結軸の軸長を延長するための軸延長部とを備えた型枠の構築方法であって、
前記所定間隔に前記締結軸の長さを加えた間隔よりも狭い間隔であって、前記所定間隔より広い間隔をおいて、パネル内面同士が対峙するように前記第一パネル及び前記第二パネルを立てる段階と、
前記締結軸を前記セパレータ取付穴に挿入し、該締結軸の一端側を前記セパレータに連結する段階と、
前記所定間隔をおいて対峙するように、前記第一パネル及び前記第二パネルを相対移動させる段階と、
前記第二パネルのパネル外面側に前記締結軸の軸方向他端側を前記係止具で係止する段階と
を含む型枠の構築方法。
【請求項２】
前記締結軸は、前記軸本体に対して、前記軸延長部が着脱可能に取り付けられており、
前記相対移動させる段階又は前記係止する段階の後で、前記締結軸から前記軸延長部を取り外す段階を含む請求項１記載の型枠の構築方法。
【発明の詳細な説明】
【技術分野】
【０００１】
本発明は、大型のパネルを組み付けてなるコンクリート用型枠の構築方法に関するものである。
【背景技術】
【０００２】
大型パネルとしての外側パネル及び内側パネルを組み付けてなる型枠の場合、外側パネルに多数突設されたセパレータの先端の型受片（Ｐコン）のねじ穴に、内側パネルの締結軸を合わせ、この締結軸を外側パネルの型受片にねじ込む操作が必要とされる。そのため、内側パネルを大型とすると、外側パネル側の多数の型受片のねじ穴と内側パネル側の多数の締結軸との位置を同時に正確に合わすように、内側パネル及び外側パネルの相対位置を正確に調整しなければならず、作業が難しいという課題がある。
【０００３】
この課題の解決を目的としたコンクリート型枠用パネルの組付方法として、特許文献１に記載されたものを例示する。この組付方法は、内軸７８及び外軸６８からなる締結軸を使用するものであり、図１０に示すように、内側パネル９０側の内軸７８をねじにより、セパレータ８４の一端のＰコン８２に連結し、この内軸７８に細長いガイド９２を脱着可能に連結しておき、該内側パネル９０をクレーンで、外側パネル７６に対向させる。そして、外側パネル７６と内側パネル９０との間に作業者９４が入り、下の方から、ガイド９２を、対応する内側パネル９０側の外軸６８に挿入する。このガイド挿入作業において、内側パネル９０を、傾いた状態から、ガイド９２の挿入位置が上になるに従って、徐々に外側パネル７６と平行となるように立てる。外側パネル７６に対して内側パネル９０を平行に対向配置した後は、内側パネル９０側の外軸６８に挿入された内軸７８からガイド９２を外し、この内軸７８にナットをねじ込んで、外側パネル７６と内側パネル９０との組み付けを完了するようになっている。
【０００４】
【特許文献１】特開平８−４２１４３号公報
【発明の開示】
【発明が解決しようとする課題】
【０００５】
ところが、特許文献１記載の組付方法では、ガイド挿入作業において、内側パネル９０を、傾いた状態から、ガイド９２の挿入位置が上になるに従って、徐々に外側パネル７６と平行となるようにクレーンで立てるように、ガイド挿入作業とクレーン操作とを互いに連動させる必要があり、作業が難しいという課題がある。
【０００６】
また、特許文献１記載の組付方法では、ガイド挿入作業を、内側パネル９０の下の方から上の方へ順次行う必要があり、内側パネル９０全体で同時に行うことができないので作業効率が悪いという課題がある。
【課題を解決するための手段】
【０００７】
上記課題を解決するために、本発明の型枠の構築方法は、
パネル内面に多数のセパレータが突設された第一パネルと、
前記各セパレータに対応するセパレータ取付穴が設けられており、前記第一パネルに対してパネル内面同士が対峙した状態かつ該パネル内面同士の間に前記セパレータにより所定間隔をおいた状態で立てられる第二パネルと、
前記セパレータ取付穴に挿入され、軸方向一端側が前記セパレータに連結される締結軸と、
該締結軸が前記第二パネルのパネル内面側に抜けないように該締結軸をパネル外面側に係止する係止具とを備え、
前記締結軸は、前記軸方向一端側から前記係止具により係止される被係止部位までを少なくとも含む軸本体と、該軸本体における前記軸方向他端側に設けられ、該締結軸の軸長を延長するための軸延長部とを備えた型枠の構築方法であって、
前記所定間隔に前記締結軸の長さを加えた間隔よりも狭い間隔であって、前記所定間隔より広い間隔をおいて、パネル内面同士が対峙するように前記第一パネル及び前記第二パネルを立てる段階と、
前記締結軸を前記セパレータ取付穴に挿入し、該締結軸の一端側を前記セパレータに連結する段階と、
前記所定間隔をおいて対峙するように、前記第一パネル及び前記第二パネルを相対移動させる段階と、
前記第二パネルのパネル外面側に前記締結軸の軸方向他端側を前記係止具で係止する段階と
を含んでいる。
【０００８】
前記締結軸の長さとは、前記締結軸が前記セパレータに連結された状態において、該セパレータの端部から前記軸方向他端側へ突出する長さをいう。また、前記締結軸としては、特に限定されないが、前記軸本体に対して前記軸延長部が着脱可能に取り付けられた態様や、前記軸本体と前記軸延長部が一体形成された態様を例示する。
【０００９】
この方法によれば、前記立てる段階では、前記所定間隔より広い間隔をおいて、パネル内面同士が対峙するように前記第一パネル及び前記第二パネルを立てるようにしているので、前記連結する段階では、作業者が前記第一パネル及び前記第二パネルの間に入り、前記セパレータ取付穴から前記第二パネルのパネル内面側に前記締結軸を突出させた状態で、前記締結軸及び前記セパレータを結合することができ、簡単に結合することができる。このとき、前記所定間隔より広い間隔をおいているので、パネル広さ方向における前記第一パネル及び前記第二パネルの相対位置が従来ほど正確に一致していなくても前記締結軸を前記セパレータに容易に結合することができる。また、第一パネル及び第二パネルの間隔は、前記所定間隔に前記締結軸の長さを加えた間隔よりも狭い間隔であるため、前記締結軸は前記セパレータ取付穴に挿入されたままの状態で、前記セパレータに連結することができる。そして、前記相対移動させる段階では、前記締結軸に前記セパレータ取付穴がガイドされるので、パネル広さ方向における前記第一パネル及び前記第二パネルの相対位置が自動的に一致するようになっている。
【００１０】
前記締結軸は、前記軸本体に対して、前記軸延長部が着脱可能に取り付けられており、
前記相対移動させる段階又は前記係止する段階の後で、前記締結軸から前記軸延長部を取り外す段階を含む態様を例示する。
【００１１】
この方法によれば、前記軸延長部を取り外すことにより、前記型枠の占有スペースを小さくすることができる。
【発明の効果】
【００１２】
本発明に係る型枠の構築方法によれば、特に大型のパネルを簡単かつ効率的に組み付けることができるという優れた効果を奏する。
【発明を実施するための最良の形態】
【００１３】
図１〜図８は本発明を具体化した一実施形態の型枠及びその構築方法を示している。まず、この型枠は、第一パネル締結金具５を用いてパネル内面に多数のセパレータ３が突設された第一パネル１と、各セパレータ３に対応するセパレータ取付穴４が設けられており、第一パネル１に対してパネル内面同士が対峙した状態かつ該パネル内面同士の間にセパレータ３により所定間隔Ｌ１をおいた状態で立てられる第二パネル２と、セパレータ取付穴４を介してセパレータ３を第二パネル２に締結する第二パネル締結金具６とを備えている。
【００１４】
第一パネル１は、多数のセパレータ取付穴４が設けられたパネル体１０を備え、該各セパレータ取付穴４には第一パネル締結金具５を介してそれぞれセパレータ３が着脱可能に取り付けられている。
【００１５】
パネル体１０は、第二パネル２にも使用されているもので、本例では、図２に示すように、パネル体１０の幅方向に並べられるとともに互いに連結された複数のパネル片１２と、該複数のパネル片１２に渡るように配設されるとともに固定金具１３により取り付けられたバタ材１４とを備えている。図２において二点鎖線の「□」で示す箇所に固定金具１３が配設され、同じく「○」で示す箇所にセパレータ取付穴４を介してセパレータ３及び第一パネル締結金具５（第二パネル２の場合は第二パネル締結金具６）が配設されるようになっている。パネル片１２は、セパレータ取付穴４が設けられた板材１５と、該板材１５の四辺に固定された枠材１６と、縦の枠材１６間に配設された１又は２以上の枠材１６とを備えている。バタ材１４としては、角パイプ、丸パイプ、角棒、丸棒等を例示する。なお、パネル体１２及びパネル片１２としては、木製のものに限られず、例えば樹脂製等の他の材質のものであってもよい。また、パネル体１２及びパネル片１２を樹脂製とする場合、特に限定されないが、パネル体１２及び／又はパネル片１２を樹脂で一体成形することを例示する。
【００１６】
固定金具１３は、図３〜図５に示すように、その金具本体２０の一端側にパネル体１０のパネル外面側（枠材１６等）へ取り付けるための取付部２１が設けられ、該金具本体２０の他端側にバタ材１４を押さえるための押さえ部２２が設けられている。
【００１７】
固定金具１３の取付部２１としては、釘２３で枠材１６に取り付けるように構成した態様（図３参照）、クランプ２４で枠材１６に取り付けるようにした態様（図４参照）、枠材１６に設けられた穴１６ａにピン２５で取り付けるようにした態様（図５参照）等を例示する。ここで、図３及び図４に示す例では、金具本体２０として、一端につば部２６が一体形成された従来のものを利用している。この従来の金具本体２０は、（イ）パネル体１０に設けた貫通穴にパネル内面側から挿入した固定用ボルトにより、該貫通穴のパネル外面側につば部側が固定される態様、（ロ）パネル体１０に設けた貫通穴におけるパネル内面側から他端側（反つば部側）が挿入されることにより、該貫通穴のパネル内面側開口縁につば部２６が係止される態様で、従来はパネル体１０に取り付けられている。本例では、つば部２６を係止する係止穴２１ａを備える取付部２１を介して該金具本体２０を枠材１６に取り付けるようにしている。これにより、従来の金具本体２０と、該金具本体２０の他端側（反つば部側）にバタ材１４を押さえるための従来の押さえ部２２とを利用することができる。また、従来の金具本体２０のパネル体１０への取り付け方法とは異なり、本例の取付部２１の取り付け方法では、パネル体１０に前記貫通穴を設ける必要がなく、しかもパネル体１０のパネル内面側に前記固定用ボルトやつば部２６が配設されないので、型枠により形成されるコンクリートの壁面に前記固定用ボルトやつば部２６による断面欠損が生じないという利点がある。
【００１８】
固定金具１３の押さえ部２２としては、次の態様を例示する。
（ａ）金具本体２０の他端側に形成された雄ネジ３０と、該雄ネジ３０に装着されてバタ材１４を押さえる座金３１と、該座金３１を雄ネジ３０に固定するナット３２とからなる態様（図４参照）。
（ｂ）金具本体２０の他端側に突設され、長穴３３ａを有する軸部３３と、該軸部３３に装着されてバタ材１４を押さえる座金３１と、長穴３３ａに挿入されて、該座金３１を軸部３３に固定するクサビ３４とからなる態様（図３及び図５参照）。
【００１９】
セパレータ３としては、金属杆３５の両端側に型受片３６（「Ｐコン」ともいう。）が設けられたものを例示する。セパレータ３の両端部には、それぞれ雌ネジ３ａ（図６参照）又は雄ネジ３ｂ（図７参照）が設けられている。
【００２０】
第一パネル締結金具５は、型枠用のパネルとセパレータ３とを締結するための公知の締結金具を適宜使用することができる。
【００２１】
第二パネル２は、第一パネル１と同様のパネル体１０からなっている（図２参照）。第二パネル２は、必ずしも第一パネル１と同じサイズである必要はなく、例えば、１つの第一パネル１に対し、複数の第二パネル２を並べて対峙させるようにしてもよい。
【００２２】
第二パネル締結金具６は、図６〜図８に示すように、セパレータ取付穴４に挿入され、軸方向一端側がセパレータ３に連結される締結軸４０と、該締結軸４０が第二パネル２のパネル内面側に抜けないように、締結軸４０の軸方向他端側をパネル外面側に係止する係止具４１とを備えている。
【００２３】
締結軸４０は、軸方向一端側から係止具４１により係止される被係止部位４２までを少なくとも含む軸本体４３と、該軸本体４３における軸方向他端側に設けられ、該締結軸４０の軸長を延長するための軸延長部４４とを備えている。この締結軸４０としては、軸本体４３に対して軸延長部４４が着脱可能に取り付けられた態様や、軸本体４３と軸延長部４４が一体的に構成されている態様とを例示する。軸延長部４４の材質としては、特に限定されず、金属、樹脂等を例示する。また、軸延長部４４としては、可撓性を備えた態様や、先端側がテーパー状に軸細に形成された態様等を例示する。本例の軸延長部４４は、軸本体４３と左ネジで連結されるようになっている。いうまでもないが、軸本体４３及び軸延長部４４の連結に関して、両者のどちらに雄ネジを設け、どちらに雌ネジを設けるかは特に限定されない。また、軸本体側には軸延長部４４をスパナで回転させるためのスパナ掛け４４ａが設けられている。
【００２４】
被係止部位４２及び係止具４１としては、次の態様を例示する。
（１）被係止部位４２は締結軸４０に形成された雄ネジ４６であり、係止具４１は該雄ネジ４６に装着されてバタ材１４を押さえる座金４７と、該座金４７を雄ネジ４６に固定するナット４８とからなる態様（図６参照）。
（２）被係止部位４２は締結軸４０に形成された長穴４９であり、係止具４１は該締結軸４０に装着されてバタ材１４を押さえる座金４７と、長穴４９に挿入されて、該座金４７を締結軸４０に固定するクサビ５０とからなる態様（図７参照）。
【００２５】
なお、図８に示すように、締結軸４０の軸本体４３は、セパレータ取付穴４にパネル外面側に抜けないように装着される外筒体５１と、該外筒体５１に挿入される内軸５２とを備え、内軸５２のパネル内面側がセパレータ３に連結され、内軸５２のパネル外面側がパネル内面側に抜けないように外筒体５１にナット５４で係止される態様にすることもできる。この例では、外筒体５１のパネル外面側の外周面には被係止部位４２としての雄ネジ４６が形成されている。また、内軸５２のパネル外面側端部には、軸延長部４４が着脱可能に取り付けられるようになっている。
【００２６】
次に、本発明の型枠の構築方法について図９を参照しながら説明すると、まず、図９（ａ）に示すように、所定間隔Ｌ１（図９（ｃ）参照）に締結軸４０の長さＬ２（図９（ｃ）参照）を加えた間隔よりも狭い間隔であって、所定間隔Ｌ１より広い間隔をおいて、パネル内面同士が対峙するように第一パネル１及び第二パネル２を立てる（「立てる段階」）。
【００２７】
次に、第二パネル２のパネル外面側から作業者が、図９（ｂ）に示すように、締結軸４０を第二パネル２のセパレータ取付穴４にそれぞれ挿入するとともに、第一パネル１及び第二パネル２の間に作業者が入り、図１及び図９（ｃ）に示すように、締結軸４０の一端側をセパレータ３に連結する（「連結する段階」）。このとき、軸延長部４４が可撓性を備えている態様や先端側がテーパー状に軸細に形成されている態様の締結軸４０を使用する場合は、締結軸４０の挿入作業を第二パネル２のパネル内面側から行うこともできる。また、本段階の作業は、第二パネル２における任意に選んだセパレータ取付穴４に対して行うことができる。しかも、本段階の作業は、複数のセパレータ取付穴４に対して同時に行うことができる。このため、本段階の作業を、複数の作業者が複数のセパレータ取付穴４に対してそれぞれ同時に行うことにより、作業時間を短縮することができる。
【００２８】
次に、図９（ｄ）に示すように、所定間隔Ｌ１をおいて対峙するように、第一パネル１に対して、第二パネル２を近づけるように移動させる（「相対移動させる段階」）。第二パネル２の移動は、人力による態様（例えば、第二パネル２の外面側から作業者が押すことによる態様）や、機械による態様（第二パネル２をクレーンで吊り上げて移動させる態様等を例示する。
【００２９】
次に、図９（ｅ）に示すように、第二パネル２のパネル外面側に、締結軸４０の軸方向他端側を係止具４１で係止する（「係止する段階」）。これで、型枠の構築が完了する。
【００３０】
なお、前記「相対移動させる段階」又は前記「係止する段階」の後で、図９（ｅ）に二点差線で示すように、締結軸４０から軸延長部４４を取り外すようにしてもよい。
【００３１】
第一パネル１及び第二パネル２の間にコンクリートを打設した後、第一パネル締結金具５及び第二パネル締結金具６を取り外すと、コンクリート壁から、第一パネル１及び第二パネル２を離脱させることができる。
【００３２】
以上のように構成された本例の型枠の構築方法によれば、前記「立てる段階」では、所定間隔Ｌ１より広い間隔をおいて、パネル内面同士が対峙するように第一パネル１及び第二パネル２を立てるようにしているので、前記「連結する段階」では、作業者が第一パネル１及び第二パネル２の間に入り、セパレータ取付穴４から第二パネル２のパネル内面側に締結軸４０を突出させた状態で、締結軸４０及びセパレータ３を結合することができ、簡単に結合することができる。このとき、所定間隔Ｌ１より広い間隔をおいているので、パネル広さ方向における第一パネル１及び第二パネル２の相対位置が従来ほど正確に一致していなくても締結軸４０をセパレータ３に容易に結合することができる。また、第一パネル１及び第二パネル２の間隔は、所定間隔Ｌ１に締結軸４０の長さＬ２を加えた間隔よりも狭い間隔であるため、締結軸４０はセパレータ取付穴４に挿入されたままの状態で、セパレータ３に連結することができる。そして、前記「相対移動させる段階」では、締結軸４０にセパレータ取付穴４がガイドされるので、パネル広さ方向における第一パネル１及び第二パネル２の相対位置が自動的に一致するようになっている。
【００３３】
また、締結軸４０は、軸本体４３に対して、軸延長部４４が着脱可能に取り付けられており、前記「相対移動させる段階」又は前記「係止する段階」の後で、締結軸４０から軸延長部４４を取り外す段階を含んでいるので、軸延長部４４を取り外すことにより、型枠の占有スペースを小さくすることができる。
【００３４】
なお、本発明は前記実施形態に限定されるものではなく、発明の趣旨から逸脱しない範囲で適宜変更して具体化することもできる。
【図面の簡単な説明】
【００３５】
【図１】本発明を具体化した一実施形態に係る型枠の構築方法における一段階を示す側断面図である。
【図２】同型枠におけるパネルの正面図である。
【図３】同型枠における固定金具を示す図であり、（ａ）は側断面図、（ｂ）は平面図である。
【図４】同固定金具の変更例を示す図であり、（ａ）は側断面図、（ｂ）は平面図である。
【図５】同固定金具の別の変更例を示す図であり、（ａ）は斜視図、（ｂ）は取り付け方法を示す側断面図、（ｃ）は取り付けた状態を示す側断面図である。
【図６】同型枠における締結金具を示す図であり、（ａ）は分解した状態の側断面図、（ｂ）は組み付けた状態の側断面図である。
【図７】同締結金具の変更例を示す図であり、（ａ）は分解した状態の側断面図、（ｂ）は取り付けた状態の側断面図である。
【図８】同締結金具の別の変更例を示す図であり、（ａ）は分解した状態の側断面図、（ｂ）は取り付けた状態の側断面図である。
【図９】同型枠の構築方法を段階的に示す側断面図である。
【図１０】従来の型枠の構築方法を示す断面図である。
【符号の説明】
【００３６】
１    第一パネル
２    第二パネル
３    セパレータ
４    セパレータ取付穴
５    第一パネル締結金具
６    第二パネル締結金具
１０    パネル体
１３    固定金具
４０    締結軸
４１    係止具
４２    被係止部位
４３    軸本体
４４    軸延長部
Ｌ１    所定間隔
Ｌ２    締結軸４０の長さ
【図１】
2007303103.tif 000003
【図２】
2007303103.tif 000004
【図３】
2007303103.tif 000005
【図４】
2007303103.tif 000006
【図５】
2007303103.tif 000007
【図６】
2007303103.tif 000008
【図７】
2007303103.tif 000009
【図８】
2007303103.tif 000010
【図９】
2007303103.tif 000011
【図１０】
2007303103.tif 000012